(57)【要約】      （修正有）【課題】パソコン用マウス操作補助一体化器具を提供する。【解決手段】マウス操作台６と本体１を接合部８で一体化し、マット材７はマットで、移動できる用にマウス操作台６の上の面とマグネット接着され、一体化器具の取り付け横蝶番金具の右側の軸を中心に右方向横に９０度範囲で開き操作に楽な姿勢が取れるように設け、縦方向蝶番の軸を中心に角度調整付傾斜を設け、移動台２と移動台３が自由自在に軽い操作で移動するパソコン用マウス操作補助一体化器具である。本体１の上の面の移動台２は車輪によって縦の方向に移動し、移動台２の上の面の移動台３は車輪によって横の方向に移動する。移動台３の上の面に腕支え４が設けられ、腕支え４の底面部が回転軸で移動台３の上の面の凹み部と勘合してマグネット接着され、腕支え４の上の面はクッション材５で構成される。【選択図】図１
2005293532.tif 000002
【特許請求の範囲】
【請求項１】
マウス操作台（６）と本体（１）を接合部（８）で一体化、マット（７）はマウス操作用途に応じ移動できるように（６）の上の面にマグネットで接着できる用に設け、取り付け横蝶番金具（１１）の右側の軸を中心に右方向横に９０度の範囲で開き楽な操作姿勢が取れるように設け、縦蝶番金具（１０）の軸を中心に角度調整付傾斜を設け、本体（１）の上の面に縦方向移動台（２）を設け、（２）の上の面に横方向移動台（３）を設け、（２）と（３）共に車輪を設け操作に伴い移動、（３）の上の面に腕支え（４）を設け、（４）の底面部が回転軸で（３）の上の面の凹み部と勘合しマグネットで接着（４）は操作方向に伴う、（４）の上の面にクッション材（５）を設け構成。パソコン用マウス操作補助一体化器具。
【発明の詳細な説明】
【技術分野】
【０００１】本考案は、パソコン用マウスを操作する際、マウスを持った手の腕を支える補助具で、マウス操作台（６）と本体（１）を接合部（８）で一体化、横方向蝶番（１１）を机などの小口面に取り付けた位置の右側の軸を中心に横方向右に９０度範囲で開き、縦方向蝶番（１０）の軸を中心に角度調整付傾斜を設け、縦、横の移動台、腕支えを設けた、パソコン用マウス操作補助一体化器具に関する。
【背景技術】
【０００２】パソコン用マウスは、机などの上でマウス操作用マットなどを敷き、アイコンのクリック操作などに使用頻度の高い器具として使用されている。
【発明の開示】
【発明が解決しようとする課題】
【０００３】従来、パソコン用マウス操作は、机などの平面の上でマウス操作用マットなどを敷き使用するため長時間のマウス操作では、腕、肩が疲れやすいと言う問題があった。マウス操作スペースも腕を置くと奥行きが必要であった。【０００４】本考案は、上述の課題を解決するものであり、小スペースで構造も簡単、マウス操作台と本体を一体化して、縦方向、横方向、共に車輪を使用した移動台を設け、操作方向に伴う腕支えを設け、一体化器具の取り付け部を机などの小口面に取り付けた位置の右側の軸を中心に横方向右に９０度範囲で開き、縦方向に角度調整付傾斜を設けることにより使い易く、マウス操作をする際、長時間の使用に対する疲れを軽減し微妙なマウス操作が簡易に行える、パソコン用マウス操作補助一体化器具を提供することを目的とする。
【課題を解決するための手段】
【０００５】上記目的を達成するために、マウス操作台（６）と本体（１）を接合部（８）で一体化、（１１）を机などの小口面に取り付けた位置の右側の軸を中心に横方向右に９０度開き尚左利きの場合は逆方向、（１０）の軸を中心に角度調整付傾斜を設け、本体（１）の上の面に縦方向移動台（２）、（２）の上の面に横方向移動台（３）、（２）と（３）共に車輪を設け操作に伴い移動、（３）の上の面に腕支え（４）、（４）の底面部が回転軸で（３）の凹み部と勘合してマグネット接着、（４）は操作方向に伴う、（４）の上の面にクッション材（５）を設け構成。（７）は操作用途に合わせ移動できる用にマグネットで（６）の上の面に接着、キーボードを叩く姿勢から平行して腕支えがあるのを特長とする。
【発明の効果】
【０００６】このように構成された、パソコン用マウス操作補助一体化器具を使用する際、キーボードを叩く位置と平行して腕支え部に腕を置き、マウス操作に使用する。【０００７】したがって、使用する際、縦方向移動台、横方向移動台と共に車輪を設け、非常に軽く、腕支え部が操作方向に伴うため、全方向に自由自在に操作に応じ移動、腕支え上の面にはクッション材を使用して腕を支える。（７）は腕支えに腕を置く位置が変わるとマウスを操作する位置も変わるので（７）はマウス操作用途に合わせて移動（７）は（６）の上の面とマグネット接着する為、腕の長さや腕を支える位置に関係なく使用できる。机の小口面などに取り付けた（１１）の右側の軸を中心に横方向右に９０度の範囲で開き操作に楽な姿勢が無理なく取れて長時間の使用に疲れを軽減する。（１０）の軸を中心に角度調整付傾斜を設け使用する為、楽な姿勢で無駄な力が入らず長時間の使用に疲れを軽減し、取り付けスペースも小さく、腕を支える位置もキーボードを叩く位置から平行してマウス操作が良好に行える。
【発明を実施するための最良の形態】
【０００８】以下、本考案の一実施形態を図面に基づいて説明をする。［図１］は机の一部とパソコン用マウス、マウスコード、傾斜が解るように示した部分、横方向の蝶番に伴う一体化器具の開く範囲を示した部分、パソコン用マウス操作補助一体化器具の斜視図を示し。［図２］は平面図を示し。［図３］は裏面図を示し。［図４］は側面図を示し。［図５］は正面図を示し。［図６］は背面図を示し。［図７］は［図２］のＡ−Ａ断面図を示し。［図８］は［図２］のＢ−Ｂ断面図を示している。【０００９】（１１）は横方向の蝶番で、机などの小口面にネジで取り付け、片側は（１０）にネジで留める、（１０）と（６）ネジで留める。（６）と（８）ネジで留める（８）と（９）ネジで留める（９）と（１）ネジ留めをして一体化する。またはマウス操作台を使用しない場合は（９）を机の小口面などに取り付け（９）と（１）でネジで留める。【００１０】（１）は本体、（１）の上の面に縦方向移動台（２）、（２）は合計４個の車輪で縦方向え操作に伴い移動、（２）の上の面に横方向移動台（３）、（３）は合計８個の車輪で横方向え操作に伴い移動、（３）の上の面に腕支え（４）、（４）の上の面にクッション材（５）で構成。（２）と（３）はネジで可動固定、（３）の上の面の凹み部と（４）の底面回転軸部で勘合、（１４）はマグネットで（４）の底面のビス部と接着、（４）は操作方向に伴う。【００１１】（６）はマウス操作台、（７）はマットでマウス操作用途に応じ移動（７）は（６）の上の面とマグネットで接着、（ア）はパソコン用マウス、（イ）はマウスのコード、（ウ）はマウス操作台の傾斜が解るように示した部分、（エ）横方向の蝶番に伴う一体化器具の開く範囲を示した部分。【００１２】（３）と（４）はマグネットで接着してあるため入れ替え自在であり、（４）は他の形状と取り替える事や回転軸部をバネに替えて上下のクッションの役目と回転軸として使用することが出来る。（１３）は横方向のストッパーのクッション材。（１６）は縦方向の車輪で（１）の左右の凹みに入り縦方向に操作に伴い移動。（１７）は横方向の車輪で（２）の上の面の凹みに入り横方向に操作に伴い移動。（１８）は角度調整用ネジ。
【図面の簡単な説明】
【００１３】
【図１】本発明は机の一部とパソコン用マウス、マウスコード、傾斜が解るように示した部分、一体化器具の右方向横に開く範囲を示した部分を入れたパソコン用マウス操補助一体器具の斜視図である。
【図２】本発明の平面図である。
【図３】本発明の裏面図である。
【図４】本発明の側面図である。
【図５】本発明の正面図である。
【図６】本発明の背面図である。
【図７】本発明の［図２］のＡ−Ａ断面図である。
【図８】本発明の［図２］のＢ−Ｂ断面図である。
【符号の説明】
１    本体
２    縦方向移動台
３    横方向移動台
４    腕支え
５    クッション材
６    マウス操作台
７    マット材
８    接合台
９    取り付け金具
１０  縦方向蝶番金具
１１  横方向蝶番金具
１２  車輪止めクッション材
１３  車輪止めクッション材
１４  マグネット
１５  クッション材
１６  縦方向移動台の車輪
１７  横方向移動台の車輪
１８  角度調整用ネジ
（ア）パソコン用マウス
（イ）パソコン用マウスコード
（ウ）傾斜が解るように示した部分
（エ）横方向蝶番に伴う一体化器具の開く範囲
【図１】
2005293532.tif 000003
【図２】
2005293532.tif 000004
【図３】
2005293532.tif 000005
【図４】
2005293532.tif 000006
【図５】
2005293532.tif 000007
【図６】
2005293532.tif 000008
【図７】
2005293532.tif 000009
【図８】
2005293532.tif 000010